(57)【要約】【課題】冷水タンクに冷水が残ったままになっても、冷水が傷まないようにして、清浄な冷水を提供する。【解決手段】冷蔵室２のドア４に、水道からの水を溜める冷水タンク３１と、冷水を浄化するフィルタ３２が設けられる。フィルタ３２は、冷水タンク３１の下流側に位置する。冷水タンク３１に溜まっている水は、塩素を含んでいるので、雑菌等の繁殖が抑えられる。給水するとき、冷水タンク３１の冷水は、フィルタ３２によって浄化され、ディスペンサからコップに注水される。【選択図】図４
2010096410.tif 000002
【特許請求の範囲】
【請求項１】
貯蔵室を開閉するドアに、貯蔵室内の冷気で冷却された水を庫外へ取り出すためのディスペンサが設けられ、ドアの内面に、外部から供給される水を浄化するフィルタと、貯蔵室内の冷気により冷却される冷水タンクとが設けられ、フィルタの上流側に冷水タンクが配置され、冷水タンクに溜められた冷水がフィルタを通ってディスペンサに供給されることを特徴とする冷蔵庫。
【請求項２】
ドアに、貯蔵室内側に向かって突出した突出部が設けられ、フィルタは、突出部の直下に配置されたことを特徴とする請求項１記載の冷蔵庫。
【請求項３】
フィルタは、交換可能なカートリッジと、カートリッジを着脱可能に保持するホルダとを有し、カートリッジは、ホルダに対して回動することにより着脱され、ホルダがドアに取り付けられ、カートリッジの長手方向一端がホルダに保持され、ドアが開いたとき、カートリッジの長手方向他端が正面側にくるように、カートリッジは水平に設置されたことを特徴とする請求項１または２記載の冷蔵庫。
【請求項４】
ドアに、製氷機を内装した製氷室が設けられ、製氷室が突出部とされ、フィルタは、製氷室の下面に取り付けられ、冷水タンクからフィルタを通った冷水が製氷機に供給されることを特徴とする請求項２または３記載の冷蔵庫。
【請求項５】
フィルタの下方に、カートリッジの交換時に漏れる水の受け皿が設けられたことを特徴とする請求項３記載の冷蔵庫。
【請求項６】
外部の水源から冷水タンクまでの給水経路が、キャビネットの背面から天井を経て、ドアを開閉自在に支持するヒンジの内部を通り、ドアの内部を通って給水タンクに至ることを特徴とする請求項１〜５のいずれかに記載の冷蔵庫。
【請求項７】
カートリッジがホルダから離れたとき、ホルダは、給水経路を遮断することを特徴とする請求項６記載の冷蔵庫。
【発明の詳細な説明】
【技術分野】
【０００１】
本発明は、自動給水および自動製氷を行える冷蔵庫に関する。
【背景技術】
【０００２】
冷蔵庫において、ドアを開けることなく氷や冷水を取り出すことができるディスペンサが設けられている。例えば特許文献１のように、ドアの正面にディスペンサが設けられ、ドアの内部にフィルタが設けられる。そして、フィルタとディスペンサとの間に冷水タンクが設けられる。外部から供給された水は、フィルタで浄化され、冷水タンクに一時的に溜められる。この間に、水は冷やされ、冷水となり、冷水がディスペンサから提供される。
【特許文献１】特表２００５−５２８５７７号公報
【発明の開示】
【発明が解決しようとする課題】
【０００３】
ところで、冷水タンクに冷水が溜まったままになると、雑菌が繁殖するおそれがあり、非衛生的である。そこで、本発明は、上記に鑑み、常に衛生的な冷水を供給することができる冷蔵庫の提供を目的とする。
【課題を解決するための手段】
【０００４】
本発明は、貯蔵室を開閉するドアに、貯蔵室内の冷気で冷却された水を庫外へ取り出すためのディスペンサが設けられ、ドアの内面に、外部から供給される水を浄化するフィルタと、貯蔵室内の冷気により冷却される冷水タンクとが設けられ、フィルタの上流側に冷水タンクが配置されたものである。なお、貯蔵室は、主として０℃以上の温度に調整された冷蔵室等である。
【０００５】
外部から供給された水は、冷水タンクに溜められ、冷気によって冷やされる。そして、冷水タンクに溜められた冷水が、フィルタを通ってディスペンサに供給される。すなわち、冷水が提供される直前に、冷水は浄化され、衛生的な冷水を提供することができる。
【０００６】
ドアに、貯蔵室内側に向かって突出した突出部が設けられ、フィルタは、突出部の直下に配置される。一般的に、突出部の直下は、物を収納できず、デッドスペースとなる。この空きスペースを利用して、フィルタを設置することができる。フィルタを貯蔵室内に設けても、貯蔵室の収納に影響を及ぼさない。
【０００７】
ドアに、製氷機を内装した製氷室が設けられ、製氷室が突出部とされ、フィルタは、製氷室の下面に取り付けられる。冷水タンクからフィルタを通った冷水が製氷機に供給され、氷が作られる。これにより、塩素などの不純物を除去した水で氷を作ることができるので、不快な臭いや味のしない氷を作ることができる。
【０００８】
フィルタは、交換可能なカートリッジと、カートリッジを着脱可能に保持するホルダとを有し、カートリッジは、ホルダに対して回動することにより着脱される。ホルダがドアに取り付けられ、カートリッジの長手方向一端がホルダに保持され、ドアが開いたとき、カートリッジの長手方向他端が正面側にくるように、カートリッジは水平に設置される。
【０００９】
ドアが開いたとき、ユーザが、カートリッジの他端を片手で持って、回動すると、カートリッジをホルダから取り外すことができる。したがって、ドアを開けながら片手でカートリッジの交換作業を行える。また、カートリッジの他端がユーザの近くにくるので、ドアを全開しなくても、少し開いただけでカートリッジの交換を行え、貯蔵室の冷気が漏れるのを最小限に抑えることができる。
【００１０】
フィルタの下方に、カートリッジの交換時に漏れる水の受け皿が設けられる。カートリッジをホルダから取り外すときに、ホルダあるいはカートリッジに残っていた水滴が床の落ちるのを防げる。
【００１１】
外部の水源から冷水タンクまでの給水経路が、キャビネットの背面から天井を経て、ドアを開閉自在に支持するヒンジの内部を通り、ドアの内部を通って給水タンクに至る。貯蔵室内に配管を行うことなく、給水を行うことができ、貯蔵室への収納を阻害しない。カートリッジがホルダから離れたとき、ホルダは、給水経路を遮断する。したがって、カートリッジ交換時の漏水は生じない。
【発明の効果】
【００１２】
本発明によると、ディスペンサから注水する直前に浄化できるので、冷水タンクに水が溜まっていても、常に清浄な冷水を提供することができる。
【発明を実施するための最良の形態】
【００１３】
本実施形態の冷蔵庫を図１、２に示す。冷蔵庫のキャビネット１が上下に仕切られ、複数の貯蔵室が形成される。上側の貯蔵室が冷蔵室２とされ、下側の貯蔵室が冷凍室３とされる。キャビネット１は、外箱と内箱との間に断熱材が充填された断熱箱体であり、正面側が開口している。冷蔵室２には、観音開き式のドア４が左右に設けられる。冷凍室３のドア５は、引き出し式とされる。なお、冷凍室３のドア５は、観音開き式のドアであってもよい。
【００１４】
冷蔵室２の一方のドア４に、ディスペンサ６が設けられ、ドア４を開けずに、冷水、角氷およびクラッシュ氷を提供することができる。図１中、７はパドルスイッチであり、グラスや鍋等でこのスイッチ７を押すと、上方から冷水や氷が出てくる。８は操作部であり、冷水、角氷およびクラッシュ氷の選択ボタンを備えている。図２中、９は野菜ケース、１０はチルドケース、１１は小物ポケットである。
【００１５】
図３〜６に示すように、ドア４の内側に、氷を生成するための製氷室２０が設けられる。製氷室２０は、断熱壁によって上下左右の四方が囲まれ、着脱可能な蓋２１に覆われた空間であり、冷蔵室２とは断熱されている。製氷室２０には、製氷機２２および貯氷ケース２３が内装されている。製氷機２２は、製氷室２０内の上部に設置され、水平軸周りに回動する製氷皿２４を有する。製氷皿２４の下方に貯氷ケース２３が設置される。製氷皿２４において生成された氷が、製氷皿２４の回動によって貯氷ケース２３に落下して、氷が貯められる。貯氷ケース２３に、クラッシュユニット２５が設けられ、角氷がクラッシュされて、クラッシュ氷が作られる。貯氷ケース２３の底面に、シュート２６がドア４を貫通して形成され、シュート２６は、ディスペンサ６に連通し、角氷あるいはクラッシュ氷を吐き出す。
【００１６】
製氷室２０には、氷を生成するために冷気と水が供給される。水は、外部から製氷機２２に供給される。冷気は、冷凍室３から製氷室２０に供給される。また、外部からの水は、冷蔵室２内の冷気により冷却されて冷水となり、この冷水がディスペンサ６から提供される。
【００１７】
図３に示すように、外部の水道から製氷機までの給水経路に、第１給水弁３０、冷水タンク３１、フィルタ３２、第２給水弁３３が上流側から順に介装され、それぞれパイプ３４によって接続されている。
【００１８】
第１給水弁３０は、キャビネット１の背面側の下部に形成された圧縮機室４０に配置され、水道からのホースに直結される。なお、圧縮機室４０には、圧縮機４１が設置されている。
【００１９】
冷水タンク３１およびフィルタ３２は、冷蔵室２内に設けられる。第１給水弁３０とフィルタ３２とはパイプ３４によって連結され、この途中でパイプ３４を螺旋状に巻くことにより、冷水タンク３１が形成される。図３に示すように、このパイプ３４は、圧縮機室４０からキャビネット１の背面を経て天井４２を通る。この間、パイプ３４は断熱材の内部を通っている。さらに、図７に示すように、パイプ３４は、天井４２からドア４を開閉自在に支持する上側のヒンジ４３の中空軸の中を通り、ドア４の断熱材内部を通って、ドア４の内面側に突出して、冷水タンク３１に至る。
【００２０】
冷水タンク３１およびフィルタ３２は、ドア４の内面に取り付けられる。冷水タンク３１は、冷蔵庫２内の冷気にさらされて、冷水を生成する。フィルタ３２は、浄水および除菌機能を有する一般的なものであり、交換可能とされる。なお、冷水タンク３１は、容器状のタンクであってもよい。
【００２１】
フィルタ３２の下流側に第２給水弁３３が設けられ、ドア４の内面側に取り付けられる。なお、第２給水弁３３および冷水タンク３１は、ドア４を開けたときに見えないようにカバーで覆っておくとよい。カバーには、通気孔が形成され、冷水タンク３１は冷蔵室２内の冷気に直接さらされる。あるいは、カバーを薄肉の樹脂で形成して、冷水タンク３１を間接的に冷気にさらす。
【００２２】
第２給水弁３３は、３方弁とされ、給水経路を製氷室側と注水側とに分岐する。注水側の経路では、第２給水弁３３の一方の出口に接続された注水管４４が、ドア４の断熱材内部を通って、ディスペンサ６の凹部から外部に突出する。
【００２３】
ユーザが、操作部８において冷水を選択して、パドルスイッチ７を操作すると、第１給水弁３０が開いて、水道水が供給され、冷水タンク３１に貯まっている冷水が、フィルタ３２により浄化され、第２給水弁３３の一方の出口を通って、注水管４４からコップに注がれる。なお、冷水タンク３１の容量は、コップ１杯分以上の容量となるように設定される。
【００２４】
製氷室２０側の経路では、第２給水弁３３の他方の出口に接続された給水管４５が、ドア４の断熱材内部を通って、製氷室２０の上部から製氷室２０内に突出する。貯氷ケース２３の氷が少なくなったことが検出されると、自動的に第１給水弁３０が開いて、水道水が供給され、冷水タンク３１に貯まっている冷水が、フィルタ３２により浄化され、第２給水弁３３の他方の出口を通って、給水管４５から製氷皿２４に注がれる。
【００２５】
このように、冷蔵室２内において、冷水タンク３１は、フィルタ３２よりも上流側に位置し、フィルタ３２は、冷水の出口に近い位置にある。冷水タンク３１には、水道からの水が蓄えられる。この水には塩素が含まれているので、細菌等の微生物が繁殖しない。フィルタ３２を通過すると、塩素が除去されるので、水は傷みやすくなる。しかし、すぐに冷水として外部に排水されたり、あるいは氷となり、水は傷むことなく、きれいな水を利用することができる。
【００２６】
また、上記のような冷水タンク３１およびフィルタ３２を冷蔵室２内に配置にすることにより、冷水タンク３１だけでなくフィルタ３２も冷気にさらされて冷却されているので、これらの中に冷水が溜まっていても、冷水が傷まず、常に衛生的な給水を行うことができる。ここで、仮に冷水タンク３１に水が貯まったまま放置され、細菌が繁殖しても、冷水をディスペンサ６から供給するとき、冷水は除菌機能を有するフィルタ３２を通過する。冷水は、浄化されて供給され、常に衛生的な水を供給することができる。
【００２７】
しかも、ドア４に給水および製氷にかかわる部品を集約することにより、完成したドア４をキャビネット１に取り付けるだけでよく、組み立て作業が容易となる。ただし、冷水タンク３１およびフィルタ３２内の水は常に冷却されていても、長期間経過すると、外部から雑菌等の不純物が侵入してくるおそれがある。しかし、使用する直前にフィルタ３２によって冷水を浄化するので、このような不純物を問題なく除去でき、清浄な冷水が得られる。
【００２８】
次に、製氷室２０への冷気経路について、図５、６に示すように、冷気は、冷凍室３から製氷室２０に送り込まれる。そして、冷気は、製氷室２０から冷凍室３に戻される。冷凍室３と製氷室２０とを連通する冷気供給ダクト５０および冷気戻りダクト５１が設けられる。両ダクト５０、５１は、冷凍室３から冷凍室３と冷蔵室２とを仕切る仕切壁５２の内部を通り、キャビネット１の側面の断熱材の内部を通って、冷蔵室２の側壁に至る。冷蔵室２の側壁に、冷気供給ダクト５０の連結口５３および冷気戻りダクト５１の連結口５４が形成される。冷気供給ダクト５０の連結口５３は、冷気戻りダクト５１の連結口５４よりも上方に位置する。
【００２９】
製氷室２０の側壁は、ドア４が閉じているとき、冷蔵室２の側壁に当接する。この側壁に、冷気入口５５と、冷気入口５５よりも下方に冷気出口５６がそれぞれ形成される。冷気入口５５は、冷気供給ダクト５０の連結口５３に対向し、冷気出口５６は、冷気戻りダクト５１の連結口５４に対向する。それぞれの口の周囲はシール材で囲まれ、ドア４が閉じたとき、上側の連結口５３と冷気入口５５および下側の連結口５４と冷気出口５６とがそれぞれ密着して、冷気は漏れない。
【００３０】
製氷室２０の冷気入口５５は、製氷室２０の天井近くに位置する。図８に示すように、製氷室２０の上部に製氷皿２４が配置され、製氷室２０内の冷気入口５５近傍に、風向板５７が設けられる。風向板５７によって、冷気入口５５から入ってきた冷気が製氷皿２４に向かって吹き下ろすように案内される。そして、製氷室２０内を下降した冷気は、下部に位置する冷気出口５６から出ていく。
【００３１】
冷気供給ダクト５０の冷気取入口６０および冷気戻りダクト５１の冷気排出口６１は、冷凍室３に設けられる。冷気取入口６０は、冷気排出口６１よりも上方に位置する。冷気取入口６０には、製氷ファン６２が設けられる。シロッコファンからなる製氷ファン６２の作動により、冷凍室３内の冷気が、冷気供給ダクト５０に吸い込まれ、製氷室２０に送り込まれる。さらに、冷気は、製氷室２０から冷気戻りダクト５１を通じて冷凍室３に戻される。
【００３２】
このように、冷気供給ダクト５０と冷気戻りダクト５１とは、製氷室２０を介して連通する。すなわち、１つの冷気経路が形成され、冷気経路の出入口は冷凍室３内に位置する。
【００３３】
冷凍室３の背面側には、蒸発室６３が位置している。蒸発室６３に、冷気を生成する蒸発器６４が内装される。蒸発室６３と冷凍室３とは背面板６５により仕切られている。蒸発室６３は、仕切板６６によって前室６７と後室６８とに区画されている。後室６８に、蒸発器６４が配置され、蒸発器６４の上方に、冷却ファン６９が設けられる。冷却ファン６９は、仕切板６６に取り付けられる。
【００３４】
背面板６５には、図９に示すように、冷気吹出口７０および冷気戻り口７１が形成されている。冷気吹出口７０は、冷気戻り口７１よりも上方に形成される。冷気吹出口７０を通じて、冷凍室３と蒸発室６３の前室６７とが連通し、冷却ファン６９の作動により、後室６８で生成された冷気が、冷気吹出口７０から冷凍室３に吹き出される。また、前室６７は、冷蔵室２にも連通しており、図示しないダンパの開閉により、冷気が冷蔵室２に送り込まれる。
【００３５】
背面板６５の上部に、製氷ファン６２が取り付けられる。製氷ファン６２は、冷気吹出口７０の直上に配置される。製氷ファン６２は、製氷室２０のある一側寄りに位置し、冷却ファン６９は左右方向の中央に位置し、両ファン６２、６９は左右方向に離れている。冷気吹出口７０から出た冷気は、すぐに製氷ファン６２に取り入れられ、製氷室２０に送られる。したがって、最も低温の冷気を製氷室２０に供給することができる。また、製氷ファン６２は、冷凍室３の奥に位置するので、冷凍室３への収納の邪魔にはならない。
【００３６】
冷気戻り口７１は、背面板６５の下部に形成され、後室６８に連通している。冷却ファン６９の作動により、後室６８が負圧となり、冷凍室３内の冷気が冷気戻り口７１から吸い込まれる。背面板６５に、冷気戻りダクト５１が下方に向かって取り付けられ、冷気排出口６１は冷気戻り口７１の近傍に位置する。なお、冷気排出口６１の位置は、冷気戻り口７１よりも少し高い位置にするのが好ましい。冷気排出口６１から吹き出た冷気が、下方に向かって流れ、そのまま冷気戻り口７１から吸い込まれる。そのため、戻ってきた冷気が冷凍室３内に拡散しない。
【００３７】
このように、冷気排出口６１は、冷却ファン６９から離れて配置される。製氷室２０から戻ってきた冷気は、冷凍室３内の冷気よりも温度が上がっている。すなわち、冷凍室３内の冷気が−１８℃のとき、戻ってきた冷気は約−１０℃になっている。冷気排出口６１が冷却ファン６９の近くにあると、冷却ファン６９近くの冷気吹出口７０から吹き出された冷気により、戻り冷気が冷凍室３内に拡散され、冷凍室３の温度が上がる。冷気排出口６１が冷却ファン６９から離れていれば、冷気吹出口７０から吹き出される冷気の風速が弱いので、戻り冷気は拡散されず、戻り冷気を全て冷気戻り口７１から蒸発室６３に吸い込むことができ、冷凍室３の温度上昇を防げる。
【００３８】
製氷ファン６２は、自動製氷が設定されているとき、冷却ファン６９と同期して駆動される。自動製氷の設定は、ユーザが行う。氷が必要ない場合、自動製氷が解除され、製氷ファン６２は停止する。
【００３９】
上記の冷蔵庫において、ユーザは、ディスペンサ６を使用して、冷水や氷の提供を受ける。長期間使用すると、フィルタ３２を交換しなければならない。フィルタ３２は、図１２に示すように、ホルダ８０とカートリッジ８１とからなる。カートリッジ８１は、ホルダ８０に着脱可能に保持される。
【００４０】
ホルダ８０は、冷蔵室２のドア４の内面に取り付けられる。カートリッジ８１はドア４の内面に平行な姿勢で保持される。ホルダ８０に２つの接続口が設けられ、一方の接続口が冷水タンク３１に接続され、他方の接続口が第２給水弁３３に接続される。一方の接続口から入った冷水は、ホルダ８０の内部を通ってカートリッジ８１に入る。カートリッジ８１で浄化された冷水は、ホルダ８０の内部を通って他方の接続口から出る。
【００４１】
カートリッジ８１は、ホルダ８０に対して縦軸周りに回動自在とされ、図１２（ａ）に示すように、カートリッジ８１がホルダ８０に対して真っ直ぐな姿勢のとき、カートリッジ８１はホルダ８０にロックされて保持される。図１２（ｂ）に示すように、カートリッジ８１を回動させて、傾けた姿勢になったとき、カートリッジ８１はホルダ８０から着脱可能となる。
【００４２】
そして、カートリッジ８１がホルダ８０から外れているとき、ホルダ８０内のカートリッジ８１との入口側および出口側の２つの連結口が閉じ、水が漏れないようになっている。例えば、ホルダ８０に、ばねによって付勢されたゲートが設けられ、ホルダ８０にカートリッジ８１が装着されているとき、ゲートが開いて、連結口は開放される。カートリッジ８１が取り外されると、ばねのよってゲートが移動し、連結口を塞ぐ。これによって給水経路が遮断され、カートリッジ交換時の水漏れを防止できる。このような構造のフィルタ３２は、例えばＷＯ２００６／１２４９０６公報に開示されている。
【００４３】
フィルタ３２は、ドア４に水平に取り付けられる。すなわち、縦軸が垂直な方向となるように、ホルダ８０がドア４の内面に設置され、カートリッジ８１は水平となる。カートリッジ８１は、水平方向に回動する。そして、カートリッジ８１の長手方向の一端がホルダ８０に取り付けられる。そこで、図２に示すように、ホルダ８０は、ドア４のヒンジ４３寄りに設置され、カートリッジ８１の他端がヒンジ４３から離れた側に位置する。ドア４が開くと、カートリッジ８１の他端が正面側にくる。すなわち、カートリッジ８１の他端がユーザの近くにくる。
【００４４】
ユーザは、ドア４を開き、カートリッジ８１の他端を持って、水平方向に回動させると、カートリッジ８１がホルダ８０から外れる。このとき、給水経路はホルダ８０により遮断され、水が漏れ出すことはない。
【００４５】
フィルタ３２の下方には、図２に示すように、ドア４の内面から受け皿８２が突設される。カートリッジ８１を着脱するとき、カートリッジ８１あるいはホルダ８０に残っている水滴が落ちるが、受け皿８２により、漏れた水滴が受け止められる。これにより、カートリッジ８１の交換時に、水滴が落下して、床を濡らすことを防止できる。
【００４６】
他のフィルタ３２として、図１３に示すように、ホルダ８０に対してカートリッジ８１が水平軸周りに回動する。同図（ａ）に示すように、カートリッジ８１を左右方向に回すと、同図（ｂ）に示すように、カートリッジ８１をホルダ８０に対して着脱できる。このようなフィルタ３２は、例えば特開昭６２−２３４５１２号公報に開示されている。
【００４７】
上記の構造のフィルタ３２を使用することにより、ユーザは、片手でカートリッジ８１の取り外しおよび取り付けを行うことができ、短時間でカートリッジ８１の交換作業を行える。また、ドア４を全開しなくても、少しだけドア４を開けた状態で交換を行える。これらによって、カートリッジ８１の交換時間が短くなり、交換時における冷蔵室２からの冷気の漏れを少なくでき、冷蔵室２の温度上昇が抑えられて、圧縮機４１の過度の運転がなくなり、省エネに寄与する。
【００４８】
フィルタ３２の設置場所として、図７に示すように、製氷室２０の下面に、フィルタ３２が水平に配置される。製氷室２０は、ドア４から突出して形成されており、いわゆる冷蔵室２内側に向かって突出した突出部である。製氷室２０の下方には、小物ポケット１１があるが、背の高い物を入れても、製氷室２０の直下にはデッドスペースが生じる。このスペースを利用して、フィルタ３２を設置することにより、冷蔵室２内のスペースを有効に活用でき、冷蔵室２の収容量に影響を及ぼさない。
【００４９】
また、他の設置場所として、図１４に示すように、小物ポケット１１の直下のスペースに、フィルタ３２が水平に配置される。小物ポケット１１もドア４から突出した突出部の１つである。小物ポケット１１はドア４の下部に設けられているので、この下方にあるフィルタ３２は目立たない。
【００５０】
なお、本発明は、上記実施形態に限定されるものではなく、本発明の範囲内で上記実施形態に多くの修正および変更を加え得ることは勿論である。フィルタおよび冷水タンクは、製氷室近傍の冷蔵室の側面あるいは天井に設置してもよい。これにより、給水経路を短くすることができる。
【００５１】
冷凍室内において、冷気排出口を冷気取入口よりも上方に設け、冷気排出口と冷気取入口とを離して配置してもよい。製氷室から戻ってきた冷気は、冷凍室の上部に排出され、冷気吹出口から吹き出される冷気と混合され、冷凍室内に拡散する。一方、冷凍室の下部から冷気が製氷室に取り込まれるので、下方に向かう冷気の流れが生じ、上部の冷気がすばやく下部まで達する。したがって、冷凍室内での冷気の流れがよくなり、室内の温度むらが少なくなる。
【００５２】
ディスペンサは、冷蔵室以外の野菜室やチルド室等の貯蔵室のドアに設けてもよい。フィルタおよび冷水タンクは、ディスペンサのある貯蔵室のドアに設けられるが、他の貯蔵室のドアに設けてもよい。
【図面の簡単な説明】
【００５３】
【図１】本発明の冷蔵庫の正面図
【図２】ドアを開いた冷蔵庫の正面図
【図３】給水経路を示した冷蔵庫の斜視図
【図４】製氷および給水構造を備えた冷蔵室のドアを示す図
【図５】冷気経路を示した冷蔵庫の斜視図
【図６】冷気経路を示した冷蔵庫の断面図
【図７】冷蔵室のドアの断面図
【図８】製氷室の内部を示す図
【図９】キャビネットの正面図
【図１０】フィルタを示し、（ａ）はカートリッジがホルダに保持された状態を示す図、（ｂ）はカートリッジをホルダから外した状態を示す図
【図１１】他のフィルタを示し、（ａ）はカートリッジがホルダに保持された状態を示す図、（ｂ）はカートリッジをホルダから外した状態を示す図
【図１２】フィルタの設置場所が異なる冷蔵室のドアの断面図
【符号の説明】
【００５４】
１    キャビネット
２    冷蔵室
３    冷凍室
４    ドア
６    ディスペンサ
２０    製氷室
２２    製氷機
２３    貯氷ケース
２４    製氷皿
３０    第１給水弁
３１    冷水タンク
３２    フィルタ
３３    第２給水弁
５０    冷気供給ダクト
５１    冷気戻りダクト
６０    冷気取入口
６１    冷気排出口
６２    製氷ファン
６３    蒸発室
６９    冷却ファン
７０    冷気吹出口
７１    冷気戻り口
８０    ホルダ
８１    カートリッジ
８２    受け皿
【図１】
2010096410.tif 000003
【図２】
2010096410.tif 000004
【図３】
2010096410.tif 000005
【図４】
2010096410.tif 000006
【図５】
2010096410.tif 000007
【図６】
2010096410.tif 000008
【図７】
2010096410.tif 000009
【図８】
2010096410.tif 000010
【図９】
2010096410.tif 000011
【図１０】
2010096410.tif 000012
【図１１】
2010096410.tif 000013
【図１２】
2010096410.tif 000014